(57)【要約】【課題】  作業者の熟練度に依らず高い信頼性と作業性が得られ、設置スペースにおける制約がなく、オフセット印刷機の版胴に正確に位置決めして印刷版を固定することを可能にする印刷版取付用補助治具を提供する。【解決手段】  位置決めして印刷版を版胴に固定するための印刷版取付用補助治具であって、印刷版の上辺に接触してその印刷版を下方に押付けるための上部押付体と、印刷版の下方の側面に接触してその印刷版を版胴の方向に押付けるための下部押付体と、上部押付体と前記下部押付体とを一体に固定支持する支持体と、支持体を人の手で保持するための取っ手とを具備するようにした印刷版取付用補助治具。【選択図】  図１
2008183859.tif 000002
【特許請求の範囲】
【請求項１】
位置決めして印刷版を版胴に固定するための印刷版取付用補助治具であって、
印刷版の上辺に接触してその印刷版を下方に押付けるための上部押付体と、
前記印刷版の下方の側面に接触してその印刷版を前記版胴の方向に押付けるための下部押付体と、
前記上部押付体と前記下部押付体とを一体に固定支持する支持体と、
前記支持体を人の手で保持するための取っ手と、
を具備することを特徴とする印刷版取付用補助治具。
【請求項２】
請求項１記載の印刷版取付用補助治具において、前記支持体は前記上部押付体と前記下部押付体とを結合する支柱を有し、その支柱はその途中において「くの字」形状に折曲がっていることを特徴とする印刷版取付用補助治具。
【請求項３】
請求項１または２記載の印刷版取付用補助治具において、前記支持体は支柱と横支持体の２つが結合している支持体であり、また前記上部押付体は２つの上部押付体から成り、それらの２つの上部押付体は前記支柱を挟んで前記横支持体に前記版胴のくわえ側万力における２つの位置決めピンと同間隔に固定されていることを特徴とする印刷版取付用補助治具。
【請求項４】
請求項１〜３のいずれかに記載の印刷版取付用補助治具において、前記支柱の表面および前記下部押付体の表面は印刷版の表面を傷つけない材料から成ることを特徴とする印刷版取付用補助治具。
【請求項５】
請求項１〜４のいずれかに記載の印刷版取付用補助治具において、前記下部押付体が回転可能なローラであることを特徴とする印刷版取付用補助治具。
【発明の詳細な説明】
【技術分野】
【０００１】
本発明は印刷の技術分野に属する。特に、オフセット印刷機の版胴に正確に位置決めして印刷版を固定することを可能にする印刷版取付用補助治具に関する。
【背景技術】
【０００２】
オフセット枚葉印刷用の印刷版の一例を図４に、オフセット枚葉印刷機の版胴の一例を図５示す。矢印↓で示す印刷方向の印刷版２００における下辺部分と上辺部分はそれぞれ、くわえ側２１０、くわえ尻側２２０と呼ばれる。版胴１００に印刷版２００を装着するときには、くわえ側２１０はくわえ側万力１２０によって固定され、くわえ尻側２２０はくわえ尻側万力１３０によって固定される。この固定において、版胴１００と印刷版２００との相対的な位置決めを行なう必要性がある。そのために、印刷版２００のくわえ側２１０には位置決め孔２１１と逃がし長孔２１２の２つの穴加工がなされている。一方、版胴１００におけるくわえ側万力１２０の部位には２つの位置決めピン１１１（図１における位置決めピン１１１ａ，１１１ｂを参照）が存在する。位置決め孔２１１と逃がし長孔２１２はそれら位置決めピン１１１ａ，１１１ｂに各々が当接することによって位置決めが行なわれる。
なお、典型的な位置決め孔と逃がし長孔は閉じた周囲を有し貫通する孔である。しかし、印刷版においては、図４に示すように、開いた周囲を有し貫通する孔、すなわち半孔が一般的に使用される。
【０００３】
作業者は印刷版２００のくわえ側２１０をくわえ側万力１２０に差し込む。このとき位置決め孔２１１と逃がし長孔２１２が位置決めピン１１１ａ，１１１ｂに各々が当接するように差し込む。そして、位置を固定した状態でくわえ側万力１２０の上歯１２１を動作させて印刷版２００を下歯１２２との間でくわえさせる。続いて、作業者は版胴１００を回転させることによって版胴１００に印刷版２００が巻き着ける。さらに、くわえ尻側万力１３０に印刷版２００のくわえ尻側２２０を差し込み、くわえ尻側万力１３０の上歯１３１を動作させて印刷版２００のくわえ尻側２２０を下歯１３２との間でくわえさせる。これによって、印刷版２００を版胴１００に装着する作業が完了する。この作業において、以下のことが問題となっている。
【０００４】
版胴１００に対する印刷版２００の装着精度が十分でないことがある。そのため、印刷開始時における印刷見当合わせのための時間が長くなり、その間に印刷不良（損紙）が大量に発生する。また、印刷版２００の位置決め精度が悪すぎるとオフセット枚葉印刷機の印刷見当調整器の調整範囲外となり印刷見当調整そのものが不可能になる。
このように版胴１００に対する印刷版２００の装着精度が悪くなる要因としては、次の２点を挙げることができる。
（１）位置決め孔２１１と逃がし長孔２１２が位置決めピン１１１ａ，１１１ｂに対してずれたままくわえ側万力１２０で印刷版２００のくわえ側２１０をくわえてしまう（作業者が版加工穴と位置決めピンを密着させたまま保持し難いので気づかないうちに印刷版２００がずれる）。
（２）位置決め孔２１１と逃がし長孔２１２を位置決めピン１１１ａ，１１１ｂに差し込む際、印刷版２００の面方向と位置決めピン１１１ａ，１１１ｂの軸方向とが垂直でなく、かつ、下歯１２２から離れてしまったままくわえ側万力１２０の上歯１２１を動作させてしまう。このとき、上歯１２１の動作により、印刷版２００が移動してしまう。そのため、位置決め孔２１１と逃がし長孔２１２が位置決めピン１１１ａ，１１１ｂから離れることもあり完全に当接しているとは限らない。
【０００５】
このような問題を解決するためのいくつかの提案がなされている。たとえば、
（１）印刷版の交換時に作業者の操作に起因する印刷版のずれやひねりを防止することを目的とし、印刷版の一端側を固定手段（くわえ側万力）に差し込む際に印刷版を固定手段に沿うように支持する支持部材を備える半自動交換装置の発明がある（特許文献１）。しかし、次の問題がある。
ａ．作業者が印刷版を固定手段に差し込む際に、位置決め孔と位置決めピンが離れたまま刷版サポート用ローラが押付ける恐れがある。
ｂ．刷版サポート用ローラが印刷版のくわえの部分を押える位置は、第１なじみローラが存在する分だけ位置決めピンから離れている位置であるため、位置決めピンの近傍での版の下歯への押付けが十分ではないと考えられる。
ｃ．相当の設置スペースを必要とするため、刷版サポート用ローラ等を既設の印刷機に増設することが必ずしも可能であるとは限らない。
（２）あらかじめ、印刷版をガイド板に装着してからガイド板ごとくわえ側クランプ（くわえ側万力）に差し込み、ガイド板上で版をすべらせて位置決めピンに密着させるという発明がある（特許文献２）。しかし、ガイド板を引き抜くときに印刷版がガイド板につられてずれる恐れがあるという問題がある。
（３）作業者が印刷版を保持手段にセットして、印刷版のくわえの部分を把持しながらガイド部材の上部を通して、くわえの部分をクランプ機構（くわえ側万力）に差し込む。このとき印刷版はガイド部材とクランプ機構によって版胴の側に凸状に湾曲するので、くわえの部分を下歯に押し付ける力が生じ、ずれ難くなるという発明がある（特許文献３）。しかし、次の問題がある。
ａ．不適切な外力が作用して印刷版がずれる可能性がある。
ｂ．作業者が印刷版をくわえ側万力に差し込むための進入経路が複雑であるため時間がかかる。
ｃ．相当の設置スペースを必要とするため、ガイド部材等の機構を既設の印刷機に増設することが必ずしも可能とは限らない。
（４）印刷版のくわえ側をくわえ側クランプ（くわえ側万力）に差し込み、同時に印刷版のくわえ尻側を固定手段で固定しておく。このとき印刷版が湾曲するようにくわえ側クランプと固定手段は配置している。そして、その湾曲した印刷版の弾性力によって印刷版のくわえ側はくわえ側クランプの下歯に当接する。その結果、常に安定して同じ位置に装着することができるという発明がある（特許文献４）。しかし、次の問題がある。
ａ．くわえ側は下歯の摩擦力と印刷版の弾性力とによって保持されているだけであるため、印刷版をくわえるときにずれたり、予期せぬ力が作用することにより印刷版が抜ける恐れがある。
ｂ．ユニット間に大きなスペースが必要であるという制約がある。
【特許文献１】特開２００１−１７１０８５
【特許文献２】特開２００６−２６９６１
【特許文献３】特許第３８１７０９０
【特許文献４】特開２００２−３４７２１２
【発明の開示】
【発明が解決しようとする課題】
【０００６】
本発明は上記の問題を解決するために成されたものである。その目的は、くわえるときに印刷版が抜けたりずれたりすることがなく、作業者の熟練度に依らず高い信頼性と作業性が得られ、設置スペースにおける制約がなく、オフセット印刷機の版胴に正確に位置決めして印刷版を固定することを可能にする印刷版取付用補助治具を提供することにある。
【課題を解決するための手段】
【０００７】
本発明の請求項１に係る印刷版取付用補助治具は、位置決めして印刷版を版胴に固定するための印刷版取付用補助治具であって、印刷版の上辺に接触してその印刷版を下方に押付けるための上部押付体と、前記印刷版の下方の側面に接触してその印刷版を前記版胴の方向に押付けるための下部押付体と、前記上部押付体と前記下部押付体とを一体に固定支持する支持体と、前記支持体を人の手で保持するための取っ手とを具備するようにしたものである。
また本発明の請求項２に係る印刷版取付用補助治具は、請求項１に係る印刷版取付用補助治具において、前記支持体は前記上部押付体と前記下部押付体とを結合する支柱を有し、その支柱はその途中において「くの字」形状に折曲がっているようにしたものである。
また本発明の請求項３に係る印刷版取付用補助治具は、請求項１または２に係る印刷版取付用補助治具において、前記支持体は支柱と横支持体の２つが結合している支持体であり、また前記上部押付体は２つの上部押付体から成り、それらの２つの上部押付体は前記支柱を挟んで前記横支持体に前記版胴のくわえ側万力における２つの位置決めピンと同間隔に固定されているようにしたものである。
また本発明の請求項４に係る印刷版取付用補助治具は、請求項１〜３のいずれかに係る印刷版取付用補助治具において、前記支柱の表面および前記下部押付体の表面は印刷版の表面を傷つけない材料から成るようにしたものである。
また本発明の請求項５に係る印刷版取付用補助治具は、請求項１〜４のいずれかに係る印刷版取付用補助治具において、前記下部押付体が回転可能なローラであるようにしたものである。
【発明の効果】
【０００８】
本発明の請求項１に係る印刷版取付用補助治具によれば、位置決めして版胴に印刷版を固定するための印刷版取付用補助治具であって、上部押付体により印刷版の上辺に接触してその印刷版が下方に押付けられ、下部押付体により印刷版の下方の側面に接触してその印刷版が版胴の方向に押付けられ、支持体により上部押付体と下部押付体とが一体に固定支持され、取っ手により支持体が人の手で保持される。すなわち、上部押付体により印刷版が下方に押付けられるから印刷版と位置決めピンとは確実に当接し、下部押付体により印刷版が版胴の方向に押付けられるから印刷版のくわえ側と下歯とは確実に当接する。また、そのような状態は作業者が取っ手を把持するだけで達成される。また、印刷版取付用補助治具は印刷版の装着時にだけ印刷機に持込めば済む。したがって、くわえるときに印刷版が抜けたりずれたりすることがなく、作業者の熟練度に依らず高い信頼性と作業性が得られ、設置スペースにおける制約がなく、オフセット印刷機の版胴に正確に位置決めして印刷版を固定することを可能にする印刷版取付用補助治具が提供される。
また本発明の請求項２に係る印刷版取付用補助治具によれば、請求項１に係る印刷版取付用補助治具において、支持体は上部押付体と下部押付体とを結合する支柱を有し、その支柱はその途中において「くの字」形状に折曲がっている。したがって、「くの字」の凹側の空間において湾曲した印刷版を無理なく受入れることができる。また、「くの字」の凸側の部分に設けられた取っ手は相対的に突出するから容易に押圧することができる。
また本発明の請求項３に係る印刷版取付用補助治具によれば、請求項１または２に係る印刷版取付用補助治具において、支持体は支柱と横支持体の２つが結合している支持体であり、また上部押付体は２つの上部押付体から成り、それらの２つの上部押付体は支柱を挟んで横支持体に版胴のくわえ側万力における２つの位置決めピンと同間隔に固定されている。すなわち、印刷版に作用する力の位置は印刷版の上辺と下辺のほぼ対向する同位置となる。したがって、印刷版を湾曲させたときに非対称に歪むことがなく、適正に印刷版のくわえ側を版胴のくわえ側万力にくわえさせることができる。
また本発明の請求項４に係る印刷版取付用補助治具によれば、請求項１〜３のいずれかに係る印刷版取付用補助治具において、支柱の表面および下部押付体の表面は印刷版の表面を傷つけない材料から成る。したがって、印刷版を版胴に装着する作業において印刷版の表面を傷つけることがない。
また本発明の請求項５に係る印刷版取付用補助治具は、請求項１〜４のいずれかに係る印刷版取付用補助治具において、下部押付体が回転可能なローラであるようにしたものである。すなわち、印刷版にはその表面に対して垂直方向の力だけが作用する。したがって、印刷版を版胴に装着する作業において印刷版の表面を摩擦等により傷つけることがない。
【発明を実施するための最良の形態】
【０００９】
次に、本発明の実施の形態について図を参照しながら説明する。本発明の印刷版取付用補助治具における構成および使用形態の一例を図１に示す。また、本発明の印刷版取付用補助治具における構成の部分拡大図を図２、図３に示す。図１〜図３において、１０ａ，１０ｂは上部押付体、２０は下部押付体、２１ａ，２１ｂはローラ、２２はシャフト、３０は横支持体、４０は支柱、５０は取っ手、１００は版胴、１１１，１１１ａ，１１１ｂは位置決めピン、１２０はくわえ側万力、１２１は上歯、１２２は下歯、２００は印刷版である。
ここで、図１〜図３に示す版胴１００と印刷版２００は、図４、図５に示したそれらと同一のものである。また、図１〜図３においては、前述した図４、図５に対して、同一部分には同一符号を付してある。
【００１０】
本発明の印刷版取付用補助治具は、上部押付体１０ａ，１０ｂ、下部押付体２０、ローラ２１ａ，２１ｂ、シャフト２２、横支持体３０、支柱４０、取っ手５０によって構成される。
上部押付体１０ａ，１０ｂは、印刷版２００を版胴１００に装着する版装着時において、印刷版２００の上辺（図４参照：くわえ尻側２２０の辺）に接触してその印刷版を下方に押付ける力を作用させるための部材である。上部押付体１０ａ，１０ｂは、図１に示すように、支柱４０を挟んで横支持体３０に版胴のくわえ側万力における２つの位置決めピンと同間隔に固定されている。上部押付体１０ａ，１０ｂは、図２に示すように、断面が「この字」の形状を有しており、その形状における凹部は印刷版２００の上辺を嵌める溝部分である。印刷版２００は、この凹部に嵌められることによって、下方に押付されたときに抜けたりずれたりすることがない。
【００１１】
下部押付体２０は、その版装着時において、印刷版２００の下方の側面に接触してその印刷版を版胴の方向に押付けるための部材である。下部押付体２０としては、棒状または丸棒状の部材を使用することができる。また、下部押付体２０は、図３に示すように、シャフト２２によって回転可能に支持された２つのローラ２１ａ，２１ｂとすることができる。ローラ２１ａ，２１ｂは印刷版２００の表面を転がり摩擦が小さいから、接触しても印刷版１００の表面を傷つけない。また、この上部押付体２０の表面を印刷版の表面を傷つけない材料、たとえばプラスチック、ゴム、コルク、木材、等の材料とすると好適である。
【００１２】
上部押付体１０ａ，１０ｂと下部押付体２０は、支持体によって一体に固定支持されている。図１〜３に示す一例においては、支持体は横支持体３０と支柱４０とから構成される。
横支持体３０は、支柱４０を挟んで版胴１００の万力における２つの位置決めピン１１１ａ，１１１ｂと同間隔に上部押付体１０ａ，１０ｂを支持固定する。それらの２つの上部押付体は支柱を挟んで横支持体に版胴のくわえ側万力における２つの位置決めピン１１１ａ，１１１ｂと同間隔に固定されている。このとき、印刷版２００の上辺と下辺に作用する力の位置がほぼ対向する同位置となる。したがって、印刷版２００を湾曲させたときに非対称に歪むことがなく、印刷版２００は版胴１００のくわえ側万力によって適正にくわえるられる。
【００１３】
支柱４０は、支持体は上部押付体と下部押付体２０とを結合する支柱を有し、その支柱はその途中において「くの字」形状に折曲がっている。したがって、「くの字」の凹側の空間において湾曲した印刷版２００を無理なく受入れることができる。また、この支柱４０の表面を印刷版２００の表面を傷つけない材料、たとえばプラスチック、ゴム、コルク、木材、等の材料とすると、支柱４０と湾曲した印刷版２００とが接触しても傷がつかず、好適である。
取っ手５０は、支持体を人の手で保持するための取っ手であり、図１〜３に示す一例においては、支柱４０における「くの字」の凸側の部分に設けられている。したがって、取っ手は印刷版取付用補助治具の全体に対し相対的に突出するから物理的および心理的に押圧を容易とする。
【００１４】
以上、構成について説明した。次に、本発明の印刷版取付用補助治具における使用方法について説明する。
まず、ステップＳ１において（印刷版差込）、作業者が手で印刷版２００を立ててくわえ側万力１２０に差し込む。このとき、印刷版２００のくわえ側２１０における位置決め孔２１１がくわえ側万力１２０の位置決めピン１１１ａに、逃がし長孔２１２が位置決めピン１１１ｂに当接するように位置合わせする。なお、印刷版取付用補助治具はまだ使用しない。
次に、ステップＳ２（補助治具使用）印刷版２００が位置決めピン１１１ａ，１１１ｂから外れないよう作業者が一方の手で保持しつつ、印刷版取付用補助治具の取っ手５０を他方の手で把持する。そして、印刷版２００のくわえ尻側２２０の辺（上辺）を印刷版取付用補助治具の上部押圧体１０ａ，１０ｂに嵌める。このとき、上部押圧体１０ａ，１０ｂの位置のほぼ真下と位置決めピン１１１ａ，１１１ｂ位置決めピンの位置のほぼ真上とが一致するように左右の相対位置、および印刷版取付用補助治具の前後方向の傾斜を調整する。この後は、作業者は印刷版取付用補助治具だけを保持すればよく、印刷版２００を保持する必要性はない。すなわち、片方の手は空いている。
【００１５】
次に、ステップＳ３（印刷版押圧）において、上部押圧体１０ａ，１０ｂを印刷版２００のくわえ尻側２２０の辺に掛けたまま印刷版取付用補助治具をゆっくり下に押付ける。それと同時に、印刷版２００のくわえ側２１０を介して、くわえ側万力１２０の下歯１２２に下部押付体２０を押し当てて、くわえ側２１０を奥側に滑らせる。このとき、図２に示すように、印刷版２００がＳ字状に弾性変形し印刷版２００の表面の一部が支柱４０に沿うように接触して変形が停止する。なお、下部押付体２０はくわえ側万力１２０の上歯１２１の上に位置しており、機械的な干渉を起こさない。
次に、ステップＳ４（締付固定）において、作業者は印刷版取付用補助治具の取っ手５０を手で把持し、そのままの状態を保持したまま、くわえ側万力１２０を操作するためのボタンを空いた方の手で押す。くわえ側万力１２０は、たとえば、エアシリンダーをアクチュエータとし、その伸縮動作によってくわえ側万力１２０の上歯１２１と下歯１２２を開閉する動作を行なう。ボタンが押されると、印刷版２００はそのくわえ側２１０において版胴１００のくわえ側万力１２０によって締め付けられ固定される。
次に、ステップＳ５（補助治具外し）において、印刷版取付用補助治具を外す。そして、版胴１００を図２に矢印で示す方向に回転させながら版胴１００に印刷版２００を巻き付ける、印刷版２００のくわえ尻側２２０を版胴１００のくわえ尻側万力に差し込み締め付ける、等の通常の作業を行うことにより、版胴１００に印刷版２００を装着する。
【００１６】
ここで、この本発明の印刷版取付用補助治具を使用したときの効果について整理すると次のようになる。
版加工穴をピンに当接させた状態と、版くわえ尻側をくわえ側万力の下歯に密着させた状態を同時に実現でき、それらの状態を保持したまま万力をクランプできるので版位置決め精度が従来よりも大幅に向上し、印刷時の見当合わせ時間や印刷不良を低減させることができる。また、使用方法に熟練技術を必要とせず、誰でもすぐ使用できるので版装着作業の負荷や作業時間を低減させることができる。また、既存印刷機の改造を必要としないので、余計なコストや生産停止がない。また、安価に製造できるので水平展開がしやすい。
【図面の簡単な説明】
【００１７】
【図１】本発明の印刷版取付用補助治具における構成および使用形態の一例を示す図である。
【図２】本発明の印刷版取付用補助治具における構成（上部押付体の部分）の一例を示す部分拡大図である。
【図３】本発明の印刷版取付用補助治具における構成（下部押付体の部分）の一例を示す部分拡大図である。
【図４】オフセット枚葉印刷機で用いる印刷版の一例を示す図である。
【図５】オフセット枚葉印刷機の版胴の一例を示す図である。
【符号の説明】
【００１８】
１０ａ，１０ｂ  上部押付体
２０  下部押付体
２１ａ，２１ｂ  ローラ
２２  シャフト
３０  横支持体
４０  支柱
５０  取っ手
１００  版胴
１１１，１１１ａ，１１１ｂ  位置決めピン
１２０  くわえ側万力
１２１  上歯
１２２  下歯
２００  印刷版
【図１】
2008183859.tif 000003
【図２】
2008183859.tif 000004
【図３】
2008183859.tif 000005
【図４】
2008183859.tif 000006
【図５】
2008183859.tif 000007